(57)【要約】【課題】  デジタルテレビ受信機において、チャンネルのプリセットを自動化する。【解決手段】  デジタルテレビ放送の受信回路１０と、数字キー５１と、不揮発性メモリ３４に用意されたプリセットテーブルと、制御回路３０とを設ける。制御回路３０は、電源の投入時、デジタルテレビ放送の全周波数帯のスキャンを実行し、このスキャン中に、あるチャンネルでデジタルテレビ放送が受信されたときには、そのチャンネルを受信するためのチャンネルデータをプリセットテーブルに登録する。スキャンが終了しても、プリセットテーブルが更新されていないときには、スキャンを繰り返す。スキャンが終了した状態のときに数字キー５１が押されたときには、プリセットテーブルに登録されているチャンネルデータのうち、押された数字キー５１に対応するチャンネルデータを取り出し、この取り出したチャンネルデータを受信回路１０に設定する。【選択図】  図１
2007318487.tif 000002
【特許請求の範囲】
【請求項１】
デジタルテレビ放送を受信して所定のチャンネルの映像信号、音声信号および受信中のチャンネルに関する情報の情報信号を出力する受信回路と、
数字キーと、
不揮発性メモリに用意されたプリセットテーブルと、
制御回路と
を有し、
上記制御回路は、
電源の投入時、上記デジタルテレビ放送の全周波数帯のスキャンを実行し、
このスキャン中に、あるチャンネルで上記デジタルテレビ放送が受信されたときには、そのチャンネルを受信するためのチャンネルデータを上記プリセットテーブルに登録し、
上記スキャンが終了しても、上記プリセットテーブルが更新されていないときには、上記スキャンを繰り返し、
上記スキャンが終了した状態のときに上記数字キーが押されたときには、上記プリセットテーブルに登録されているチャンネルデータのうち、上記押された数字キーに対応するチャンネルデータを取り出し、
この取り出したチャンネルデータを上記受信回路に設定する
ようにしたデジタルテレビ放送の受信機。
【請求項２】
デジタルテレビ放送を受信して所定のチャンネルの映像信号、音声信号および受信中のチャンネルに関する情報のデータを出力する受信回路と、
数字キーと、
不揮発性メモリに用意されたプリセットテーブルと、
制御回路と
を有し、
上記制御回路は、
上記受信回路から出力される映像信号および音声信号による映像および音声を視聴していない場合に、上記デジタルテレビ放送の全周波数帯のスキャンを実行し、
このスキャン中に、あるチャンネルで上記デジタルテレビ放送が受信されたときには、そのチャンネルを受信するためのチャンネルデータを上記プリセットテーブルに登録し、
上記スキャンが終了しても、上記プリセットテーブルが更新されていないときには、上記スキャンを繰り返し、
上記スキャンが終了した状態のときに上記数字キーが押されたときには、上記プリセットテーブルに登録されているチャンネルデータのうち、上記押された数字キーに対応するチャンネルデータを取り出し、
この取り出したチャンネルデータを上記受信回路に設定する
ようにしたデジタルテレビ放送の受信機。
【請求項３】
デジタルテレビ放送を受信して所定のチャンネルの映像信号、音声信号および受信中のチャンネルに関する情報のデータを出力する受信回路と、
数字キーと、
不揮発性メモリに用意されたプリセットテーブルと、
制御回路と
を有し、
上記制御回路は、
上記デジタルテレビ放送の受信状態が悪化した場合に、上記デジタルテレビ放送の全周波数帯のスキャンを開始し、
このスキャン中に、あるチャンネルで上記デジタルテレビ放送が受信されたときには、そのチャンネルを受信するためのチャンネルデータを上記プリセットテーブルに登録し、
上記スキャンが終了しても、上記プリセットテーブルが更新されていないときには、上記スキャンを繰り返し、
上記スキャンが終了した状態のときに上記数字キーが押されたときには、上記プリセットテーブルに登録されているチャンネルデータのうち、上記押された数字キーに対応するチャンネルデータを取り出し、
この取り出したチャンネルデータを上記受信回路に設定する
ようにしたデジタルテレビ放送の受信機。
【請求項４】
請求項１、請求項２あるいは請求項３に記載の受信機において、
上記スキャンの終了は、ユーザの指示あるいは設定にしたがう
ようにしたデジタルテレビ放送の受信機。
【発明の詳細な説明】
【技術分野】
【０００１】
この発明は、デジタルテレビ放送の受信機に関する。
【背景技術】
【０００２】
地上デジタルテレビ放送の受信機には、チャンネル（テレビ局）のプリセット選局機能やチャンネルアップダウン機能が用意されている。
【０００３】
プリセット選局機能は、リモコン（遠隔操作）の送信機に設けられている数字キーのいずれかを押すと、その押されたキーにあらかじめプリセットされているチャンネルが選択されるものである。また、チャンネルアップダウン機能は、チャンネルアップキーあるいはチャンネルダウンキーを押すと、プリセットされているチャンネルが順に選択されていくものである。
【０００４】
これらの機能を実現するため、据置型の地上デジタルテレビ放送の受信機では、受信機の設置時、その使用場所を示す情報、例えば郵便番号を入力するように促される。そこで、ユーザが使用場所を示す情報を入力すると、その使用場所の地域で受信できるチャンネルが、プリセット用のメモリに自動的に登録される。
【０００５】
したがって、以後、プリセット選局機能やチャンネルアップダウン機能を利用することができるようになる。また、番組の情報と組み合わせることにより番組表を表示できるようにもなる。
【０００６】
なお、先行技術文献として例えば以下のものがある。
【特許文献１】特開２００５−２１０３８６号公報
【発明の開示】
【発明が解決しようとする課題】
【０００７】
ところで、自動車などの移動体に搭載した受信機、あるいはいわゆるノートパソコンや携帯電話機などに内蔵した受信機、つまり、移動体受信機は、これを使用する場所が一定しない。このため、移動体受信機において、プリセット選局機能やチャンネルアップダウン機能を利用できるようにするには、移動するごとに、受信機の使用場所を示す情報を入力する必要がある。しかし、これでは使い勝手が悪くなってしまう。
【０００８】
そこで、スキャンキーを設け、このスキャンキーが押されたら、デジタルテレビ放送の周波数帯をスキャンし、放送の行われているチャンネルをプリセット用のメモリに登録することが考えられる。また、ＧＰＳなどを用いて受信機の位置を検出し、その検出した位置情報の示す場所で受信できるチャンネルをメモリに登録することも考えられる。
【０００９】
しかし、地下の駐車場やトンネルの中などのように放送を受信できない場所もあるので、スキャンキーによる場合には、ユーザが移動場所ごとにスキャンキーを操作する必要があり、あるいは放送が受信可能と思われる場所に移動してからスキャンキーを操作する必要があり、使い勝手が悪いものとなってしまう。
【００１０】
また、サービスエリアは単純な形状ではないので、ＧＰＳによる場合には、位置情報の示す位置がどのサービスエリアに含まれるかを判別するための構成や処理が複雑になってしまう。また、実際には、２つのサービスエリアの境界付近では、位置を特定できても、どちらのサービスエリアに対応させればよいかが曖昧になることが多い。
【００１１】
この発明は、このような問題点を解決しようとするものである。
【課題を解決するための手段】
【００１２】
この発明においては、
デジタルテレビ放送を受信して所定のチャンネルの映像信号、音声信号および受信中のチャンネルに関する情報の情報信号を出力する受信回路と、
数字キーと、
不揮発性メモリに用意されたプリセットテーブルと、
制御回路と
を有し、
上記制御回路は、
電源の投入時、上記デジタルテレビ放送の全周波数帯のスキャンを実行し、
このスキャン中に、あるチャンネルで上記デジタルテレビ放送が受信されたときには、そのチャンネルを受信するためのチャンネルデータを上記プリセットテーブルに登録し、
上記スキャンが終了しても、上記プリセットテーブルが更新されていないときには、上記スキャンを繰り返し、
上記スキャンが終了した状態のときに上記数字キーが押されたときには、上記プリセットテーブルに登録されているチャンネルデータのうち、上記押された数字キーに対応するチャンネルデータを取り出し、
この取り出したチャンネルデータを上記受信回路に設定する
ようにしたデジタルテレビ放送の受信機
とするものである。
【発明の効果】
【００１３】
この発明によれば、受信場所が変わっても、プリセットされているチャンネルを自動的に更新することができ、受信場所を示す情報をいちいち入力したり、スキャンキーを操作したりする必要がないので、使い勝手がよい。さらに、ＧＰＳなどを用いて受信機の位置を検出したり、その検出結果から受信位置がどのサービスエリアに含まれるかを判別したりする必要がないので、構成や処理が複雑になることがない。
【発明を実施するための最良の形態】
【００１４】
〔１〕  送信される情報信号および用語について
地上デジタルテレビ放送においては、本来の映像信号、音声信号あるいはデータ信号に加えて、各種の情報信号を送信している。以下に、この発明が関係する情報信号および用語について簡単に説明する。
【００１５】
(1) サービスＩＤ
このサービスＩＤは、日本全国のサービスに対してユニークに割り当てられたＩＤであり、図７に示すように、「地域ＩＤ」、「県複フラグ」、「サービス種別」、「地域事業者ＩＤ」および「サービス番号」を有する。
【００１６】
ここで、地域ＩＤは、全国の各地域を定義するＩＤであり、地域事業者ＩＤは、地域ＩＤの示す地域における各テレビ放送事業者を定義するＩＤである。また、サービス種別は、テレビ放送やデータ放送を区別するためのデータであり、サービス番号は、サービス種別のそれぞれにおいてサービスを指定するためのデータである。さらに、県複フラグは、同一地域で２つのＴＳを送信するとき、それぞれのサービスＩＤを異ならせるためのものである。
【００１７】
(2) 系列事業者ＩＤ(Affiliation ID)
これは、テレビ放送の系列局を示すＩＤである。
【００１８】
(3) ＢＩＴ(Broadcaster Information Table)
このＢＩＴは、ブロードキャスタ（委託放送事業者あるいはその集合）に関する情報のデータテーブルである。このＢＩＴの中に「拡張ブロードキャスタ記述子」があり、この記述子に(2)の系列事業者ＩＤが含まれている。したがって、このＢＩＴにより、移動体受信機がフリンジエリアで放送を連続受信するために必要な系列事業者ＩＤを把握することができる。
【００１９】
(4) ＥＩＴ(Event Information Table)
このＥＩＴは、番組表、番組の名称、放送日時、内容の説明など、番組に関する情報を有するデータテーブルである。このＥＩＴにより、現在、次および次以降に放送されるイベントの開始および終了時刻などの番組情報を得ることができる。
【００２０】
〔２〕  構成
図１は、この発明を適用した地上デジタルテレビ放送の受信機の一例を示し、符号１０はその受信回路である。すなわち、地上デジタルテレビ放送の放送波がアンテナ１１により受信され、その受信信号がシンセサイザ方式に構成されたチューナ回路１２に供給されて目的とするチャンネル（サービス）を含む受信信号が中間周波信号に変換される。
【００２１】
そして、この中間周波信号が中間周波回路１３を通じて復調回路１４に供給されてＭＰＥＧ２形式のデジタルデータ（トランスポートストリーム）が復調されて取り出され、このデジタルデータがＴＳデコーダ回路１５に供給されて目的とするチャンネルの映像および音声のデータストリームが選択されるとともにデコードされる。
【００２２】
そして、このデコードされた映像のデータストリームが、映像デコーダ回路１６に供給されてもとのデジタル映像信号にデコードされ、このデジタル映像信号がＯＳＤ回路１７を通じてデジタル入力の表示手段、例えばＬＣＤパネル１８に供給され、目的とするチャンネルの映像が表示される。
【００２３】
なお、ＯＳＤ回路１７は、後述するシステム制御回路３０からの制御信号にしたがって、映像デコーダ回路１６から供給される映像信号のＬＣＤパネル１８への供給を制御するものである。さらに、ＯＳＤ回路１７は、システム制御回路３０からの表示データにしたがって、所定の文字（数字や記号を含む）を表示するためのデジタル映像信号を形成し、これをＬＣＤパネル１８に供給するものでもある。
【００２４】
さらに、ＴＳデコーダ回路１５によりデコードされた音声のデータストリームが、音声デコーダ回路２１に供給されてもとのデジタル音声信号にデコードされるとともに、アナログ信号にＤ／Ａ変換され、この信号がスピーカ２２に供給され、ＬＣＤパネル１８に表示されている映像に対応する音声が、スピーカ２２から出力される。
【００２５】
また、ＴＳデコーダ回路１５から上述の(1)〜(4)により説明したデータ信号が取り出され、このデータ信号がシステム制御回路３０に供給されるとともに、復調回路１４およびＴＳデコーダ回路１５からシステム制御回路３０にステータス信号が供給される。また、システム制御回路３０からチューナ回路１２に選局信号が供給されるとともに、ＴＳデコーダ回路１５に制御信号が供給される。
【００２６】
この場合、システム制御回路３０は、受信回路１０の受信チャンネルやＬＣＤパネル１８の表示などの制御を行うものである。このため、制御回路３０は、マイクロコンピュータにより構成され、ＣＰＵ３１と、各種のプログラムが書き込まれているＲＯＭ３２と、ワークエリア用のＲＡＭ３３と、不揮発性メモリ３４とを有している。
【００２７】
そして、システム制御回路３０には、各種の操作キー４１が接続されるとともに、リモコン（遠隔操作）の受信部４２が接続される。この受信部４２は、リモコンの送信機５０と対となっているものであり、これら送信機５０および受信部４２は、例えば赤外線によりリモコンを実現するものである。そして、送信機５０は、操作キーの一部として、「１」〜「12」の数字キー５１と、チャンネルアップダウン機能を実現するための次キー５２Ｎおよび前キー５２Ｐとを有する。なお、数字キー５１は、後述するように、プリセット選局機能を実現するためのプリセットキーでもある。
【００２８】
さらに、システム制御回路３０のＲＯＭ３２には、そのプログラムの一部として、例えば図２および図３に示すようなルーチン１００、２００が用意される。このルーチン１００、２００は、プリセット選局用のデータを登録するためのものであり、その詳細については後述するが、ルーチン２００はルーチン１００の一部である。なお、図２および図３においては、ルーチン１００、２００はこの発明に関係する部分だけを抜粋して示している。
【００２９】
また、システム制御回路３０のメモリ３４には、例えば図４に示すようなプリセットテーブルPTBLが用意される。このプリセットテーブルPTBLは、プリセット選局機能によるチャンネルの選択を実現するためのものであり、ルーチン１００、２００が実行されて必要なデータが登録される。
【００３０】
すなわち、図４の例においては、プリセットテーブルPTBLは、チャンネルデータＤCHと、局名データＤNAMEと、チャンネル番号データＤNOと、その他のデータＤiとを１組とし、この１組のデータを、リモコン送信機５０の数字キー５１のそれぞれ（「１」〜「12」キー）ごとに有する。
【００３１】
ここで、チャンネルデータＤCHは、チューナ回路１２に選局信号として供給されて目的とするチャンネルを含む受信信号を選択するためのデータと、ＴＳデコーダ回路１５に制御信号として供給されて目的とするチャンネルの映像および音声のデータストリームを選択するためのデータとから構成されている。また、局名データＤNAMEは、ＬＣＤパネル１８に、テレビ局名やロゴなどを表示するためのデータであり、チャンネル番号データＤNOは、ＬＣＤパネル１８にチャンネル番号を表示するためのデータである。さらに、データＤiは、上述の(1)〜(4)のデータ（およびこれを処理して得られるデータ）である。
【００３２】
さらに、メモリ３４には、ラストチャンネル（前回、電源をオフにするときに受信していたチャンネル）のチャンネルデータＤCHLを保存するエリアが用意される。
【００３３】
〔３〕  動作
〔３−１〕  電源投入時
受信機の電源をオンにすると、ＣＰＵ３１の処理がルーチン１００のステップ１０１からスタートし、次にステップ１０２において、メモリ３４からラストチャンネルのチャンネルデータＤCHLが取り出され、この取り出されたチャンネルデータＤCHLが、チューナ回路１２およびＴＳデコーダ回路１５に供給される。
【００３４】
したがって、以後、チューナ回路１２およびＴＳデコーダ回路１５においては、ステップ１０２により取り出されたラストチャンネルのチャンネルデータＤCHLを選択する処理が開始される。そして、この処理が行われている間に、ＣＰＵ３１の処理はステップ１０２からステップ１０３に進み、このステップ１０３において、例えば復調回路１４から得られるステータス信号をチェックすることにより、ラストチャンネルで放送を受信できるか否かが判別される。
【００３５】
〔３−２〕  ラストチャンネルの放送を受信できる場合
ステップ１０３において、ラストチャンネルの放送を受信できると判別された場合には、処理はステップ１０３からステップ１１１に進み、このステップ１１１において、プリセットテーブルPTBLを参照することにより、ラストチャンネルのチャンネルデータＤCHLが、対応する局名データＤNAMEおよびチャンネル番号データＤNOに変換されて取り出される。
【００３６】
そして、この取り出されたデータが、ＯＳＤ回路１７に表示データとして供給され、この結果、ＯＳＤ回路１７において、その表示データに対応した所定のデジタル映像信号が形成されてＬＣＤパネル１８に供給され、ラストチャンネルの局名とチャンネル番号とがＬＣＤパネル１８に表示される。
【００３７】
続いて、ステップ１１２において、ＴＳデコーダ回路１５から得られるステータス信号をチェックすることにより、ステップ１０２により開始されたチャンネルの選択が完了して映像信号および音声信号が正常に得られるようになったか否かが判別される。そして、映像信号および音声信号がまだ正常に得られないときには、ステップ１１２が繰り返される。
【００３８】
そして、映像信号および音声信号が正常に得られるようになると、これがＴＳデコーダ回路１５からのステータス信号によりシステム制御回路３０に通知されるとともに、この通知がステップ１１２により判別され、処理はステップ１１２からステップ１１３に進む。
【００３９】
そして、ステップ１１３において、ＴＳデコーダ回路１５から出力される映像のデータストリームが映像デコーダ回路１６に供給されてもとのデジタル映像信号にデコードされ、このデジタル映像信号がＯＳＤ回路１７を通じてＬＣＤパネル１８に供給され、ラストチャンネルの映像がＬＣＤパネル１８に表示される。
【００４０】
また、このとき、ＴＳデコーダ回路１５から出力される音声のデータストリームが音声デコーダ回路２１に供給され、したがって、ラストチャンネルの音声がスピーカ２２から出力される。
【００４１】
続いて、ステップ１１４において、ＯＳＤ回路１７が制御され、ステップ１１１により表示された局名およびチャンネル数字は表示が終了とされ、その後、ステップ１１５によりルーチン１００を終了する。
【００４２】
こうして、受信機の電源をオンにすると、ラストチャンネルを受信できる場合には、そのラストチャンネルの放送が受信され、これを視聴できる状態となる。
【００４３】
〔３−３〕  ラストチャンネルの放送を受信できない場合
ステップ１０３において、ラストチャンネルの放送を受信できないと判別された場合には、処理はステップ１０３からステップ１２１に進み、後述するように、このステップ１２１においてルーチン２００が実行されることにより、スキャンが行われてプリセットテーブルPTBLが更新される。
【００４４】
そして、処理はステップ１２１に続いてステップ１２２に進み、プリセットテーブルPTBLに登録された最初の（先頭の）チャンネルデータＤCH1が取り出され、このチャンネルデータＤCH1がチューナ回路１２およびＴＳデコーダ回路１５に供給され、その後、ステップ１１１に進む。
【００４５】
したがって、以後、更新されたプリセットテーブルPTBLに登録されている最初のチャンネルの映像および音声が出力されることになる。また、後述するように、プリセット選局やチャンネルアップダウンは、その更新されたプリセットテーブルPTBLのデータにしたがって行うことができるようになる。
【００４６】
〔３−４〕  ステップ１２１（ルーチン２００）における処理
ステップ１２１においては、ＣＰＵ３１の処理がルーチン２００のステップ２０１からスタートし、次にステップ２０２において、プリセットテーブルPTBLに登録されているすべてのデータがＲＡＭ３３に退避されるとともに、プリセットテーブルPTBLからは消去される。
【００４７】
続いて、ステップ２０３において、システム制御回路３０からの選局信号により、チューナ回路１２の受信チャンネルが、地上デジタルテレビ放送における最低チャンネルに設定され、次にステップ２１１において、例えば復調回路１４から得られるステータス信号をチェックすることにより、このとき、設定されている受信チャンネルで放送を受信できるか否かが判別される。
【００４８】
そして、放送を受信できないときには、処理はステップ２１１からステップ２１６に進み、このステップ２１６において、このときチューナ回路１２に設定されているチャンネルが最高チャンネルであるか否かが判別され、最高チャンネルではないときには、処理はステップ２１６からステップ２１７に進み、チューナ回路１２は、このとき設定されている受信チャンネルより１チャンネル高い受信チャンネルに設定され、その後、処理はステップ２１１に戻る。
【００４９】
したがって、以後、放送を受信できないときには、ステップ２１１、２１６、２１７が繰り返されることになり、すなわち、デジタルテレビ放送の周波数帯が、最低チャンネルから順にスキャンされていく。
【００５０】
そして、このスキャン中に放送を受信できると、これがステップ２１１により判別され、処理はステップ２１１からステップ２１２に進みむ。そして、このステップ２１２において、ＴＳデコーダ回路１５から(1)〜(4)のデータが取り込まれ、次にステップ２１３において、ステップ２１２により取り込んだデータのエラーがチェックされる。そして、取り込んだデータにエラーがあるときには、処理はステップ２１３からステップ２１６に進む。
【００５１】
したがって、エラーのないデータが得られるようになるまで、ステップ２１１〜２１３、２１６、２１７が繰り返され、すなわち、エラーのないデータを受信できるまで、スキャンが続けられることになる。
【００５２】
そして、このスキャン中にエラーのないデータを受信できると、これがステップ２１３により判別され、処理はステップ２１３からステップ２１４に進む。そして、このステップ２１４において、ステップ２１２により取り込んだデータがプリセットテーブルPTBLに登録される。なお、この登録時、必要に応じてデータはプリセットテーブルPTBLに適した状態に加工される。
【００５３】
続いて、処理はステップ２１５に進み、このステップ２１５において、プリセットテーブルPTBLに登録されているすべての局名データＤNAMEおよびチャンネル番号データＤNOが取り出され、この取り出されたデータがＯＳＤ回路１７に表示データとして供給されてデータに対応した所定のデジタル映像信号が形成され、この信号がＬＣＤパネル１８に供給される。
【００５４】
今の場合、プリセットテーブルPTBLに登録されているデータは１チャンネル分なので、例えば図５Ａに示すように、その１チャンネル分のデータに対応して１チャンネル分の局名およびそのチャンネル番号が１行に表示される。
【００５５】
そして、その後、処理はステップ２１６に進み、スキャンが続行される。したがって、ステップ２０３〜２１７によれば、デジタルテレビ放送の周波数帯がスキャンされるとともに、受信が可能なチャンネルがプリセットテーブルPTBLに登録されていく。また、その登録につれて、対応する局名およびチャンネル数字が、図５Ａ、Ｂ、Ｃに示すように、１局につき１行ずつ追加されて表示されていく。
【００５６】
そして、以上の処理が最高チャンネルまで実行されると、処理はステップ２１６からステップ２２１に進み、プリセットテーブルPTBLが新しくプリセットされたか否か、すなわち、プリセットテーブルPTBLが更新されたか否かが判別され、更新されているときには、処理はステップ２２１からステップ２３２に進み、このステップ２３２でルーチン２００を終了してルーチン１００のステップ１２２に進む。したがって、ステップ１２２により、上述のように、プリセットテーブルPTBLの先頭に登録されているチャンネルが選択され、そのチャンネルが視聴できるようになる。
【００５７】
なお、ステップ２２１において、プリセットテーブルPTBLが更新されていないときには、すなわち、ステップ２０２によりプリセットテーブルPTBLのデータがすべて消去されたままのときには、処理はステップ２２１からステップ２２２に進む。そして、このステップ２２２において、ＯＳＤ回路１７に所定の表示データが供給されてＬＣＤパネル１８には、プリセットの更新に失敗したので、再度スキャンを実行するか否かを問い合わせる文章が表示されるとともに、この問い合わせに対するユーザの回答の入力待ちとなる。
【００５８】
そこで、その回答を操作キー４１を通じて入力すると、処理はステップ２２３に進み、ステップ２２２に対する回答が「再度のスキャンを実行する」のときには、処理はステップ２２３からステップ２０３に進み、したがって、スキャンが再度実行される。
【００５９】
また、ステップ２２２に対する回答が「再度のスキャンは実行しない」のときには、処理はステップ２２３からステップ２３１に進み、このステップ２３１において、ステップ２０２によりＲＡＭ３３に退避しておいたデータがプリセットテーブルPTBLに復帰され、その後、処理はステップ２３２を通じてステップ１２２に進む。
【００６０】
以上のようにして、ルーチン１００によれば、ユーザがキー操作をしなくても、プリセットテーブルPTBLの登録内容を自動的に更新することができる。
【００６１】
〔３−５〕  その他
放送の受信中に例えば復調回路１４からのステータス信号をモニタすることにより、受信状態が悪化してきたらルーチン１００を自動的に実行することもできる。また、例えば、カーオーディオ装置における受信機の場合であれば、ＣＤやＭＤなどを再生しているとき、あるいはナビゲーション装置を使用しているときのようにテレビ放送を視聴していないとき、裏でルーチン１００を常に自動的に実行することもできる。
【００６２】
さらに、上述においては、プリセットテーブルPTBLが更新されないときには、ユーザの指示にしたがってスキャンを繰り返すとしたが、ユーザの指示を求めずに自動的に繰り返すとともに、その繰り返し回数や繰り返しの総時間があらかじめ設定してある値になるまでスキャンを繰り返すようにしてもよい。
【００６３】
〔４−１〕  プリセット選局機能によるチャンネルの選択
この場合には、リモコン送信機５０の数字キー５１のうち、目的とするチャンネルがプリセットされている数字キーを押す。
【００６４】
すなわち、数字キー５１のうち、例えば「３」キーを押すと、これが赤外線により送信機５０から受信部４２に送信され、システム制御回路３０に「３」キーの押されたことが通知される。すると、システム制御回路３０においては、メモリ３４のプリセットテーブルPTBLのうち、「３」キーの組からチャンネルデータＤCH3が取り出され、この取り出されたチャンネルデータＤCH3が、チューナ回路１２およびＴＳデコーダ回路１５に供給される。
【００６５】
そして、以後、ルーチン１００におけるステップ１１１以降の処理が実行される。したがって、数字キー５１の「１」〜「12」キーのどれかを押すと、その押されたキーにプリセットされているチャンネルが選択され、そのチャンネルの視聴ができる。
【００６６】
〔４−２〕  チャンネルアップダウン機能によるチャンネルの選択
この場合には、プリセットテーブルPTBLにプリセットされているチャンネルのうちの任意のチャンネルを受信しているときに、リモコン送信機５０のうちの次キー５２Ｎあるいは前キー５２Ｐを押す。
【００６７】
すると、この次キー５２Ｎあるいは前キー５２Ｐの押されたことが、〔４−１〕の場合と同様にしてシステム制御回路３０に通知され、プリセットテーブルPTBLのチャンネルデータうち、現在受信中のチャンネルの次あるいは前のチャンネルのチャンネルデータＤCHが取り出され、この取り出されたチャンネルデータＤCHがチューナ回路１２およびＴＳデコーダ回路１５に供給される。したがって、現在受信中のチャンネルの次あるいは前のチャンネルの選択が開始される。
【００６８】
また、このとき、プリセットテーブルPTBLに登録されているすべての局名データＤNAMEおよびチャンネル番号データＤNOが取り出され、この取り出されたデータがＯＳＤ回路１７に表示データとして供給される。この結果、ＯＳＤ回路１７において、その表示データに対応した所定のデジタル映像信号が形成されてＬＣＤパネル１８に供給され、例えば図６に示すように、すべての局名およびそのチャンネル番号の組が局名リスト１８Ｌとして表示される。
【００６９】
さらに、この局名リスト１８Ｌのうち、現在受信中のチャンネルの次あるいは前のチャンネルの局名およびチャンネル番号の表示位置、図６の場合、「○○テレビ」および「＊４＊」の表示位置に、指標としてカーソル１８Ｃが表示される。なお、このカーソル１８Ｃは、反転表示により表示することができる。
【００７０】
そして、現在受信中のチャンネルの次あるいは前のチャンネルの映像および音声が得られるようになって所定の短い期間が経過すると、ＯＳＤ回路１７が制御され、図６に示す局名リスト１８Ｌは表示されなくなる。
【００７１】
したがって、次キー５２Ｎあるいは前キー５２Ｐを押すと、その押すごとに次のチャンネルあるいは前のチャンネルが選択されていき、最後に次キー５２Ｎあるいは前キー５２Ｐを押したチャンネルの映像および音声を視聴できることになる。
【００７２】
〔５〕  まとめ
上述のテレビ受信機によれば、受信場所が変わっても、プリセットされているチャンネルを自動的に更新することができ、受信場所をいちいち入力したり、スキャンキーを操作したりする必要がないので、使い勝手がよい。
【００７３】
また、例えば図５に示すように、スキャン中は、受信可能なチャンネルがプリセットテーブルPTBLに登録されるごとに、その局名が追加表示されていくので、スキャンが実行されていること、あるいはスキャンによりプリセットが次第に完成していく状況などを視覚により知ることができる。
【００７４】
さらに、ＧＰＳなどを用いて受信機の位置を検出したり、その検出結果から受信位置がどのサービスエリアに含まれるかを判別したりする必要がないので、構成や処理が複雑になることがない。また、２つのサービスエリアの境界付近であっても、プリセットを行うことができる。
【００７５】
〔６〕  その他
上述においては、電源の投入時にルーチン１００が自動的に実行されるとしたが、例えば操作キー４１のうちのスキャンキーを押した場合に、ルーチン１００のステップ１２１から実行することもで、その場合には、ワンタッチで強制的にプリセットテーブルPTBLを更新することができる。
【００７６】
また、プリセットテーブルPTBLが更新されたて処理がステップ２２１からステップ２３２に進むとき、プリセットテーブルPTBLに登録されているデータをソートすることもできる。例えば、(1)の地域ＩＤを使用して地域単位でソートし、同じ地域では、(2)の系列事業者ＩＤを使用して系列局順にソートすれば、局名リスト１８Ｌが表示されたとき、その局名は、系列局順となっているとともに、この順序は全国どこでも同じになるので、どの地域に移動してもチャンネルの選択が容易となる。
【００７７】
さらに、例えば図５に示す表示を行うとき、これをピクチャ・イン・ピクチャ形式における子画面に表示することもでき、その場合には、親画面に任意の映像を表示することができる。
【００７８】
〔略語の一覧〕
ＢＩＴ    ：Broadcaster Information Table
ＣＤ      ：Compact Disc
ＣＰＵ    ：Central Processing Unit
Ｄ／Ａ    ：Digital to Analog
ＥＩＴ    ：Event Information Table
ＧＰＳ    ：Global Positioning System
ＩＤ      ：IDentification
ＬＣＤ    ：Liquid Crystal Display
ＭＰＥＧ  ：Motion Picture Experts Group
ＭＰＥＧ２：MPEG Phase 2
ＯＳＤ    ：On Screen Display
ＲＡＭ    ：Random Access Memory
ＲＯＭ    ：Read Only Memory
ＴＳ      ：Transport Stream
リモコン  ：Remote Control
【図面の簡単な説明】
【００７９】
【図１】この発明の一形態を示す系統図である。
【図２】この発明の一形態を示すフローチャートである。
【図３】図２の一部を示すフローチャートである。
【図４】この発明に使用できるデータテーブルの図である。
【図５】表示例を示す図である。
【図６】表示例を示す図である。
【図７】デジタルデータの内容を示す図である。
【符号の説明】
【００８０】
１０…受信回路、３０…システム制御回路、３１…ＣＰＵ、３４…不揮発性メモリ、４１…操作キー、４２…リモコン受信部、５０…リモコン送信機、４１…数字キー、１００および２００…ルーチン
【図１】
2007318487.tif 000003
【図２】
2007318487.tif 000004
【図３】
2007318487.tif 000005
【図４】
2007318487.tif 000006
【図５】
2007318487.tif 000007
【図６】
2007318487.tif 000008
【図７】
2007318487.tif 000009